(57)【要約】【課題】吸収体の液体吸収性能の劣化を抑制し、安定した液滴吐出による画像形成を行うことができる。【解決手段】  吸引孔１０３は、吸引キャップ２８２ａの底部より上方に設け、吸引ポンプ１０５による吸引で吸引孔１０３から液面までのインク２００を吸引孔１０３から排出し、吸引孔１０３から下方のインク２００を溜める。吸収部材２９０は、吸引キャップ２８２ａに対し相対的に、吸引孔１０３に近い位置と、吸引キャップ２８２ａ内に溜まっている残りのインク２００に接触する位置又は残りのインク２００に吸引孔１０３に近い位置からの移動中に接触するような位置とに移動可能に設置されている。【選択図】図３
2015098134.tif 000002
【特許請求の範囲】
【請求項１】
液滴をノズルから略鉛直下向きに吐出する液滴吐出ヘッドと、
前記ノズルが形成されているノズル形成面を下方から覆って密閉する吸引キャップと、
該吸引キャップ内に配置され液体を吸収する吸収体と、
前記吸引キャップに設けられている吸引孔から前記吸引キャップ内の液体を吸引する吸引手段とを備えた画像形成装置において、
前記吸引キャップは、前記吸引手段による吸引で液体の一部を前記吸引孔から排出するとともに残りの液体を溜める構成を備え、
前記吸引孔は、前記吸引キャップの底部より上方に設け、
前記吸収体は、前記吸引キャップに対し相対的に、少なくとも２つの位置に移動可能に設置され、第１の位置は第２の位置より前記吸引孔に近い位置であり、前記第２の位置は前記吸引キャップ内に溜まっている残りの液体に接触する位置又は前記残りの液体に前記第１の位置からの移動中に接触するような位置であることを特徴とする画像形成装置。
【請求項２】
請求項１記載の画像形成装置において、
前記吸引キャップを昇降させる昇降手段を備え、前記吸収体を固定し、前記昇降手段によって前記吸引キャップを昇降し前記吸引キャップと前記吸収体の相対位置を変えることを特徴とする画像形性装置。
【請求項３】
請求項１記載の画像形成装置において、
前記吸収体は、前記液滴吐出ヘッドと対向する側に付勢する弾性部材と、前記液滴吐出ヘッドと対向する側に突起する突起部とを有し、前記吸引キャップをノズル面に押圧して前記突起部がノズル面の一部を押圧し、前記吸収体が前記吸引キャップの底部側へ押し下げられることを特徴とする画像形成装置。
【請求項４】
請求項１〜３のいずれかに記載の画像形成装置において、
前記吸引キャップ内の液体の電荷を検知する電荷検知手段と、電位の異なる液体の吐出を行って電荷を検知することで吐出の有無を判定する吐出判定手段とを備え、検知用の吐出を行う前に、前記吸引キャップの底部に残留する液体を前記電荷検知手段と接触している前記吸収体に含侵させた後、吐出検知を実施することを特徴とする画像形成装置。
【発明の詳細な説明】
【技術分野】
【０００１】
本発明は、液滴吐出ヘッドの吐出性能を維持、回復させる維持回復装置を備えた画像形成装置に関するものである。
【背景技術】
【０００２】
上記液滴吐出ヘッドとしての記録ヘッドを有し、媒体を搬送しながらインク滴を用紙に付着させて画像形成を行うインクジェット記録装置で用いられている。ここでの媒体は「用紙」ともいうが材質を限定するものではなく、被記録媒体、記録媒体、転写材、記録紙なども同義で使用する。また、画像形成装置は、紙、糸、繊維、布帛、皮革、金属、プラスチック、ガラス、木材、セラミックス等の媒体に液体を吐出して画像形成を行う装置を意味する。そして、画像形成とは、文字や図形等の意味を持つ画像を媒体に対して付与することだけでなく、パターン等の意味を持たない画像を媒体に付与する（単に液滴を吐出する）ことをも意味する。また、インクとは、所謂インクに限るものではなく、吐出されるときに液体となるものであれば特に限定されるものではなく、例えばＤＮＡ試料、レジスト、パターン材料なども含まれる液体の総称として用いる。
【０００３】
上記画像形成装置では、液体としてのインクの吐出を良好に行うため、次のような保湿動作及び吸引動作を含む維持回復動作を行っている。保湿動作では、インク滴を吐出するノズルが形成されているノズル形成面をキャップで覆い密閉状態にして記録ヘッド内のインクの水分蒸発を防いでいる。インクの水分蒸発が過度に進み増粘したインクがノズルの壁面に付着してノズルの開口断面を狭くしインクの流れを阻害したり、あるいは増粘したインクがノズルの吐出開口部周囲に付着して吐出方向が狙いの方向からずれたりして、正常な吐出ができなくなる。この場合には次のような吸引動作を行う。ノズル形成面を吸引キャップで覆い形成した閉空間を吸引手段としての吸引ポンプで吸引する。これにより、ノズルの壁面及びノズルの吐出開口部周囲に付着している増粘のインクを取り除き、正常な吐出を可能にしている。これらの維持回復動作を行う維持回復装置を備えた画像形成装置として、特許文献１に記載のものが知られている。
【０００４】
この特許文献１の維持回復装置を備えた画像形成装置では、液体吸収性の互いに異なる２つの吸収体を吸引キャップ内に配置し、その吸引キャップでノズル形成面を覆うことで、吸引キャップ内の保湿性能を高め、記録ヘッドの吐出性能を維持、回復させている。具体的には、第１吸収体は、第２吸収体より液体吸収性が低く、吸引キャップの底板に設けられている吸引孔を覆い、しかも吸引キャップでノズル形成面を覆ったときノズルから引き出されたインクが着弾する大気露出面を有している。第２吸収体は、吸引孔から離間させ、第１吸収体と、吸引キャップの底板及び側板とで形成された閉空間内に配置されている。
【０００５】
上記吸引動作においては、インク滴を略鉛直下向きに吐出するノズルが形成されているノズル形成面を吸引キャップで下方から覆って、ノズル形成面を密閉する。吸引キャップの底板に設けられている吸引孔に連通している吸引ポンプを駆動して吸引キャップ内に形成された閉空間内を負圧状態にする。記録ヘッドのノズル内のインクは、ノズルから引き出される。この吸引動作を以下、ヘッド液抜き吸引動作という。ノズルから引き出されたインクは第１吸収体の大気露出面上に着弾し、先ずは第１吸収体に吸収させる。吸引ポンプの駆動を一時停止し、吸引キャップをノズル形成面から離間させ吸引キャップ内を大気開放して吸引ポンプを再び駆動して、第１吸収体に吸収されているインクを吸引孔から排出する。この吸引動作を以下、キャップ開放液排出動作という。これらの吸引動作を行うことにより、記録ヘッドの吐出性能を回復させている。これらの吸引動作後の第２吸収体では、第２吸収体に隣接している第１吸収体から、第１吸収体に吸収されているインクの一部を吸収して保持する。そして、吸引動作後の上記保湿動作においては、ノズル形成面を吸引キャップで覆い密閉状態にして、第２吸収体に吸収されているインクの水分により、吸引キャップ内の保湿状態を高め、記録ヘッドの吐出性能を維持させている。
【発明の概要】
【発明が解決しようとする課題】
【０００６】
しかしながら、上記特許文献１の画像形成装置では、第１吸収体に吸収されていたインクが、自重により第１吸収体の下部に溜まり易く、吸引キャップの底板に設けられている吸引孔の近くに導かれ易くなっている。第１吸収体では、第１吸収体が第２吸収体よりも吸引孔の近くに配置されているので、上記キャップ開放液排出動作において第１吸収体に吸収されているインクは、第２吸収体に吸収されているインクよりも強い吸引力を受け、上記キャップ開放液排出動作で優先的に吸引孔から排出されてしまう。この結果、上記キャップ開放液排出動作直後の第１吸収体はインクを保持していない状態、いわゆる乾燥状態になっている。
【０００７】
第２吸収体では、吸引孔から離れた場所に配置されているため、第２吸収体に吸収されているインクはキャップ開放液排出動作を行っても排出され難く、第２吸収体内にインクが残留し易い。ヘッド液抜き吸引動作が複数回行われ第１吸収体を介して第２吸収体に新たに吸収されたインクは、第２吸収体に残留していたインクに混ざる。最初の吸引動作後に行われた保湿動作では、第２吸収体に残留したインクの水分含有量は記録ヘッドのインク保湿のために十分であった。ところが、保湿動作が繰り返し行われて水分蒸発の頻度が増えると、第２吸収体に残留したインクの水分含有量は徐々に減っていく。その状態の吸引キャップを用いて上記ヘッド液抜き吸引動作を行い吸引したインクを第２吸収体に残留しているインクに混ぜたときインクの水分含有量は、上記ヘッド液抜き吸引動作前よりも増えるものの、第２吸収体の液体吸収性能が上記キャップ開放液排出動作後の保湿動作の十分行えるまで回復するような所望の量になっていない。そして、上記キャップ開放液排出動作後の保湿動作において、乾燥状態の第１吸収体と、液体吸収性能が十分に回復していない第２吸収体とが配置されている吸引キャップを用いて記録ヘッドのノズル形成面を覆う。このため、第１吸収体及び第２吸収体が、記録ヘッド内のインクの水分を吸収し、記録ヘッド内のインクの粘度を増加させてしまう。この結果、安定した液滴吐出による画像形成を行うことができなかった。
【０００８】
本発明は以上の問題点に鑑みなされたものであり、その目的は、吸収体の液体吸収性能の劣化を抑制し、安定した液滴吐出による画像形成を行うことができる画像形成装置を提供することである。
【課題を解決するための手段】
【０００９】
上記目的を達成するために、請求項１の発明は、液滴をノズルから略鉛直下向きに吐出する液滴吐出ヘッドと、前記ノズルが形成されているノズル形成面を下方から覆って密閉する吸引キャップと、該吸引キャップ内に配置され液体を吸収する吸収体と、前記吸引キャップに設けられている吸引孔から前記吸引キャップ内の液体を吸引する吸引手段とを備えた画像形成装置において、前記吸引孔は、前記吸引キャップの底部より上方に設け、前記吸引キャップは、前記吸引手段による吸引で液体の一部を前記吸引孔から排出するとともに残りの液体を溜める構成を備え、前記吸収体は、前記吸引キャップに対し相対的に、少なくとも２つの位置に移動可能に設置され、第１の位置は第２の位置より前記吸引孔に近い位置であり、前記第２の位置は前記吸引キャップ内に溜まっている残りの液体に接触する位置又は前記残りの液体に前記第１の位置からの移動中に接触するような位置であることを特徴とするものである。
【発明の効果】
【００１０】
本発明によれば、吸収体の液体吸収性能の劣化を抑制し、安定した液滴吐出による画像形成を行うことができるという特有な効果が得られる。
【図面の簡単な説明】
【００１１】
【図１】本発明に係る画像形成装置の一例の機構部を説明する側面説明図である。
【図２】同機構部の要部平面説明図である。
【図３】実施例１の吸引キャップを短辺方向からみた側面図である。
【図４】維持回復動作時の状態を説明する説明図である。
【図５】実施例２の吸引キャップの構成を説明する図である。
【図６】実施例３の吸引キャップの構成を説明する図である。
【図７】実施例３の吸引キャップの構成を説明する図である。
【図８】実施例４の吸引キャップの構成を説明する図である。
【図９】実施例４の吸引キャップの構成を説明する図である。
【図１０】実施例４の吸引キャップの構成を説明する図である。
【図１１】実施例５の吸引キャップの構成を説明する図である。
【図１２】実施例５の吸引キャップの構成を説明する図である。
【図１３】実施例６の吸引キャップの構成を説明する図である。
【図１４】実施例６の吸引キャップの構成を説明する図である。
【図１５】吐出検知装置の構成の概略を示す構成図である。
【図１６】吐出検知部を備えた吸引キャップの平面図である。
【発明を実施するための形態】
【００１２】
以下、本発明の実施形態について添付図面を参照して説明する。まず、本発明に係る画像形成装置の一例について図１及び図２を参照して説明する。なお、図１は画像形成装置の全体構成を説明する側面説明図、図２は画像形成装置の要部平面説明図である。
【００１３】
図１及び図２に示す画像形成装置はシリアル型インクジェット記録装置である。装置本体１の左右の側板２２１Ａ、２２１Ｂに横架したガイド部材である主従のガイドロッド２３１、２３２でキャリッジ２３３を主走査方向に摺動自在に保持し、後述する主走査モータによってタイミングベルトを介してキャリッジ主走査方向に移動走査する。キャリッジ２３３には、イエロー（Ｙ）、シアン（Ｃ）、マゼンタ（Ｍ）、ブラック（Ｋ）の各色のインク滴を吐出するための液体吐出ヘッドからなる記録ヘッド２３４ａ、２３４ｂ（区別しないときは「記録ヘッド２３４」という。）を搭載している。記録ヘッド２３４は、複数のノズルからなるノズル列を主走査方向と直交する副走査方向に配列し、滴吐出方向を下方に向けて装着している。
【００１４】
記録ヘッド２３４は、それぞれ液滴を吐出する複数のノズルを配列した２つのノズル列を有する。記録ヘッド２３４ａの一方のノズル列はブラック（Ｋ）の液滴を吐出するモノクロ用ノズル列であり、他方のノズル列はシアン（Ｃ）の液滴を吐出するカラー用ノズル列である。また、記録ヘッド２３４ｂの一方のノズル列はマゼンタ（Ｍ）の液滴を吐出するカラー用ノズル列であり、他方のノズル列はイエロー（Ｙ）の液滴を吐出するカラー用ノズル列である。
【００１５】
また、キャリッジ２３３には、記録ヘッド２３４のノズル列に対応して各色のインクを供給するためのヘッドタンク２３５ａ、２３５ｂ（区別しないときは「ヘッドタンク２３５」という。）を搭載している。ヘッドタンク２３５には、カートリッジ装填部２０４に着脱自在に装着される各色のメインタンクであるインクカートリッジ２１０ｙ、２１０ｍ、２１０ｃ、２１０ｋから、供給ポンプユニット２２４によって各色の供給チューブ２３６を介して、各色のインクが補充供給される。
【００１６】
一方、給紙トレイ２０２の用紙積載部（圧板）２４１上に積載した用紙２４２を給紙するための給紙部として、用紙積載部２４１から用紙２４２を１枚ずつ分離給送する半月コロである給紙コロ２４３及び給紙コロ２４３に対向する分離パッド４４を備えている。そして、この給紙部から給紙された用紙２４２を記録ヘッド２３４の下方側に送り込むために、用紙２４２を案内するガイド部材２４５と、カウンタローラ２４６と、搬送ガイド部材２４７と、先端加圧コロ２４９を有する押さえ部材２４８とを備えている。さらに、給送された用紙２４２を静電吸着して記録ヘッド２３４に対向する位置で搬送するための搬送手段である搬送ベルト２５１を備えている。この搬送ベルト２５１は、無端状ベルトであり、搬送ローラ２５２とテンションローラ２５３との間に掛け渡されて、ベルト搬送方向（副走査方向）に周回するように構成している。
【００１７】
また、この搬送ベルト２５１の表面を帯電させるための帯電手段である帯電ローラ２５６を備えている。この帯電ローラ２５６は、搬送ベルト２５１の表層に接触し、搬送ベルト２５１の回動に従動して回転するように配置されている。この搬送ベルト２５１は、後述する副走査モータによってタイミングを介して搬送ローラ２５２が回転駆動されることによってベルト搬送方向に周回移動する。
【００１８】
さらに、記録ヘッド２３４で記録された用紙２４２を排紙するための排紙部として、搬送ベルト２５１から用紙２４２を分離するための分離爪２６１と、排紙ローラ２６２及び排紙コロである拍車２６３とを備え、排紙ローラ２６２の下方に排紙トレイ２０３を備えている。
【００１９】
また、装置本体１の背面部には両面ユニット２７１が着脱自在に装着されている。この両面ユニット２７１は搬送ベルト２５１の逆方向回転で戻される用紙２４２を取り込んで反転させて、再度、カウンタローラ２４６と搬送ベルト２５１との間に給紙する。また、この両面ユニット２７１の上面は手差しトレイ２７２としている。
【００２０】
さらに、キャリッジ２３３の走査方向一方側の非印字領域には、記録ヘッド２３４のノズルの状態を維持し、回復するための維持回復機構２８１を配置している。この維持回復機構２８１には、記録ヘッド２３４の各ノズル面をキャッピングするための吸引及び保湿を兼ねる吸引キャップ２８２ａと保湿キャップ２８２ｂ（区別しないときは「キャップ２８２」という。）を備えている。ここで、吸引キャップ２８２ａが保湿キャップを兼ねてもよい。また、維持回復機構２８１は、ノズル面をワイピングするためのワイパ部材（ワイパブレード）２８３を備えている。さらに、維持回復機構２８１は、増粘した記録液を排出するために記録に寄与しない液滴を吐出させる空吐出を行うときの液滴を受ける空吐出受け２８４と、キャリッジ２３３をロックするキャリッジロック２８７などを備えている。ここで、吸引キャップ２８２ａ内には排出された液体の廃液を吸収する吸収部材（吸収体）２９０が配置されている。また、吸引キャップ２８２ａには、図示しない吸引ポンプなどの吸引手段が接続されている。また、このヘッドの維持回復機構２８１の下方側には維持回復動作によって生じる廃液を収容するための廃液タンク（不図示）が装置本体１に対して交換可能に装着される。
【００２１】
さらに、キャリッジ２３３の走査方向他方側の非印字領域には、記録中などに増粘した記録液を排出するために記録に寄与しない液滴を吐出させる空吐出を行うときの液滴を受ける空吐出受け２８８を配置している。この空吐出受け２８８には記録ヘッド２３４のノズル列方向に沿った開口部２８９などを備えている。
【００２２】
このような構成を有する画像形成装置においては、給紙トレイ２０２から用紙２４２が１枚ずつ分離給紙され、略鉛直上方に給紙された用紙２４２はガイド部材２４５で案内され、搬送ベルト２５１とカウンタローラ２４６との間に挟まれて搬送される。さらに、用紙２４２は先端を搬送ガイド２３７で案内されて先端加圧コロ２４９で搬送ベルト２５１に押し付けられ、略９０°搬送方向を転換される。そして、帯電した搬送ベルト２５１上に用紙２４２が給送されると、用紙２４２が搬送ベルト２５１に吸着され、搬送ベルト２５１の周回移動によって用紙２４２が副走査方向に搬送される。
【００２３】
そこで、キャリッジ２３３を移動させながら画像信号に応じて記録ヘッド２３４を駆動することにより、停止している用紙２４２にインク滴を吐出して１行分を記録し、用紙２４２を所定量搬送後、次の行の記録を行う。記録終了信号又は用紙２４２の後端が記録領域に到達した信号を受けることにより、記録動作を終了して、用紙２４２を排紙トレイ２０３に排紙する。
【００２４】
そして、記録ヘッド２３４のノズルの吐出回復を行うときには、キャリッジ２３３をホーム位置である維持回復機構２８１に対向する位置に移動する。ここで、吸引キャップ２８２ａによるノズル面のキャッピングを行ってノズルからインクを吸引排出する。このヘッド液抜き吸引動作を行った後、上記キャップ開放液排出動作を行うことにより、安定した液滴吐出による画像形成を行うことができる。
【００２５】
（実施例１）
次に、上記実施形態の画像形成装置に搭載された維持回復装置における吸引キャップの一実施例（以下、本実施例を「実施例１」という。）について説明する。
図３は実施例１の吸引キャップを短辺方向からみた側面図である。なお、吸収部材を分かり易くするため吸引キャップは透明状態で図示する（以下の図でも同じ）。図３に示す吸引キャップ２８２ａ内には、吸収体としての吸収部材２９０が移動可能に配置されている。吸収部材２９０の一端は吸引キャップ２８２ａの底部から上方に付勢するバネ１０１で持ち上げられ、吸収部材２９０の他端は吸引キャップ２８２ａの端部に回動部材２９０ａを用いて回動自在に取り付けられている。吸引キャップ２８２ａを記録ヘッド２３４のノズル形成面としてのノズル面２３４ｃに押圧したときにノズル面２３４ｃに対向する吸収部材２９０の露出面側であって、バネ１０１が取り付けられている箇所に対し反対箇所に、突起部材１０２が設けられている。図３（ａ）に示す吸引キャップ２８２ａでは、吸収部材２９０が吸引キャップ２８２ａの底部から間隔を開けた状態で略水平に保持されている。また、吸引キャップ２８２ａには、吸引キャップ２８２ａの底部から上方の所定の位置に、吸引手段としての吸引ポンプ１０５に吸引チューブ１０４を介して連通する吸引孔１０３が設けられている。
【００２６】
このような構成を有する吸引キャップ２８２ａがノズル面２３４ｃに押圧された状態を示す図３（ｂ）からわかるように、吸引キャップ２８２ａでは、突起部材１０２が記録ヘッド２３４のノズル面２３４ｃに当たり、吸引キャップ２８２ａ内に押し下げられる。この結果、吸引キャップ２８２ａの底部からの間隙が図３（ａ）の状態に比して狭くなる。この実施形態の吸引キャップ２８２ａのように、吸収部材２９０の一端のみが押し下げられているが、これに限定する必要がなく、後述するように水平を保ったまま押し下げられるなど吸引キャップ２８２ａに対し相対的に吸収体２９０の位置が液滴吐出方向で移動可能な構成であればよい。
【００２７】
次に、本実施形態の画像形成装置における実施例１の吸引キャップ内の吸収部材の位置と維持回復動作の関係について図４を参照して説明する。図４は維持回復動作時の状態を説明する説明図である。先ず、上記ヘッド液抜き吸引動作を行うときには、図４（ａ）に示すように、吸引キャップ２８２ａ内の吸収部材２９０は、突起部材１０２が記録ヘッド２３４のノズル面２３４ｃに当たり、吸引キャップ２８２ａの底部側へ押し下げられる。吸引キャップ２８２ａで記録ヘッド２３４のノズル面２３４ｃをキャッピングして、吸引手段としての吸引ポンプ１０５を駆動して吸引を行う。これにより、インク２００が吸引キャップ２８２ａの底部に溜まる。
【００２８】
吸引動作を一時停止した後、上記キャップ開放液排出動作を行うときには、図４（ｂ）に示すように、吸引キャップ２８２ａをノズル面２３４ｃから離間させ、吸引キャップ２８２ａ内を大気開放する。ワイパ部材２８３によってノズル面２３４ｃをワイピングして清掃する。このとき、ノズル面２３４ｃに残留したインク２００が、ノズル面２３４ｃとワイパ部材２８３の摩擦力を低下することによって、円滑にワイピングが実施される。また、吸引ポンプ１０５を駆動して吸引を行い、吸引キャップ２８２ａ内の液面から吸引孔１０３までのインク２００及び吸引孔１０３を覆う位置の吸収部材２９０に保持されているインク２００を吸引して廃液タンク（不図示）に排出される。図４（ｃ）に示すように、吸引キャップ２８２ａで記録ヘッド２３４のノズル面２３４ｃをキャッピングして、突起部材１０２が記録ヘッド２３４のノズル面２３４ｃに当たり、吸引キャップ２８２ａの底部側へ押し下げられる。この結果、吸収部材２９０が吸引キャップ２８２ａの底部に溜まっているインク２００に接触し、インク２００を吸収する。これにより、吸収部材２９０は水分を多く含有しているインク２００を吸収した状態となる。そのため、吸引キャップ内は高湿度に保たれ、ノズルからのインク乾燥を効果的に抑制することができる。
【００２９】
なお、上記ヘッド液抜き吸引動作を行うときには、吸引キャップ２８２ａ内の吸収部材２９０は、吸引キャップ２８２ａの開口に相対的に近い位置にある。そして、吸引ポンプ１０５を駆動して記録ヘッド２３４からインクを吸引キャップ２８２ａ内に向けて引き抜く。また、図４（ｂ）に示すように、吸引孔１０３が、吸収部材２９０が接触する位置に配置されている。この結果、吸引ポンプによって吸引キャップ２８２ａに溜まったインク２００を排出する際、吸収部材２９０からインク２００及び空気が排出される。これにより、吸収部材２９０に含侵されていたインク２００はほぼ排出される。その後、図４（ｃ）に示すように、再度ノズル面２３４ｃを押圧してキャッピングすると、吸収部材２９０は、少なくとも、吸引キャップ２８２ａの底部に溜まったインク２００に接触する位置又は接触し続ける位置に移動する。そして、吸収部材２９０がインク２００を吸い上げることになる。以上により、先に吸収していたインクを排出し、記録ヘッドから吸引したインクを吸収し、インクの置換を行うことができる。また、吸引キャップ２８２ａに残留して次第に水分の少ないインクとなることを抑制することができる。この結果、吸引キャップ２８２ａの底部に入れ替わることなく滞留するインクが、徐々に水分を失って保湿性を低減することを防止できる。
【００３０】
（実施例２）
次に、上記実施形態の画像形成装置に搭載された維持回復装置における吸引キャップの更に他の実施例（以下、本実施例を「実施例２」という。）について説明する。
【００３１】
図５は実施例２の吸引キャップの構成を説明する図である。図５（ａ）は平面図、図５（ｂ）、（ｃ）は正面図である。実施例２において、吸収部材２９０は、吸引キャップ２８２ａの底部を貫通して吸引キャップ２８２ａの外側に通じる接続柱部材３０１に連結されている。接続柱部材３０１は、吸収部材２９０の外部露出面と反対側の面から略鉛直方向に延び吸引キャップ２８２ａの外部に設けられている固定板３０２に固定されている。吸引キャップ２８２ａと固定板３０２との間の接続柱部材３０１の外周は、伸縮可能な部材、例えば蛇腹部材３０３によって覆われて、キャッピング時には吸引キャップ２８２ａ内を外部と遮断できるようにする。これにより、吸引キャップ２８２ａに溜まるインクが外部に漏れないようにしている。吸引キャップ２８２ａは、図示しないキャップ進退動機構（昇降動機構）によって、記録ヘッドのノズル面（不図示）に対して相対的に進退動（ここでは、昇降動）を行う。
【００３２】
このように構成したので、上記ヘッド液抜き吸引動作を行うときには、図５（ｂ）に示すように、吸引キャップ２８２ａを上昇させてノズル面（不図示）に押し当ててキャッピングする。このとき、吸引キャップ２８２ａ内に配置された吸収部材２９０は、接続柱部材３０１を介して外部の固定板３０２に固定されているため、吸引キャップ２８２ａに対し相対的に下降し、吸引キャップ２８２ａの中間位置に移動する。吸引ポンプ１０５を駆動させて記録ヘッド（不図示）のインクを引き抜いて吸引キャップ２８２ａ内に溜める。次に、上記キャップ開放液排出動作を行うときには、吸収部材２９０を吸引孔１０３の近く、あるいは吸引孔１０３を覆うように位置している。このため、吸引ポンプ１０５を駆動させて液面から吸引孔１０３までのインク及び吸収部材２９０の吸収しているインクを排出できる。その後、図５（ｃ）に示すように、吸引キャップ２８２ａを更に上昇させて吸収部材２９０を吸引キャップ２８２ａに対し相対的に下降させる。これにより、上記ヘッド液抜き吸引動作を行って吸引キャップ２８２ａの底部に溜めたインク（不図示）に吸収部材２９０を接触させ、そのインクを吸収部材２９０に吸収させることができる。
【００３３】
（実施例３）
次に、上記実施形態の画像形成装置に搭載された維持回復装置における吸引キャップの更に他の実施例（以下、本実施例を「実施例３」という。）について説明する。
【００３４】
実施例３について図６及び図７を参照して説明する。図６及び図７は実施例３の吸引キャップの構成を説明する図である。図６（ａ）及び図７（ａ）は平面図、図６（ｂ）及び図７（ｂ）は正面図である。実施例３において、吸収部材２９０と吸引キャップ２８２ａの内底部との間には弾性部材としてのばね３０４が設けられ、吸収部材２９０は吸引キャップ２８２ａの開口側に向けて付勢されている。また、吸収部材２９０では、吸収部材２９０の移動方向と直交する方向であって、長手方向の一辺が、支持部材である支持ロッド３０５に連結されている。支持ロッド３０５は、吸引キャップ２８２ａの長手方向側面から外部に突出している。更に、吸引キャップ２８２ａの側部外側には、支持ロッド３０５を係り止める鍵部材３０６が、進退動（ここでは、昇降動）を行う回転軸３０６ａに回転可能に連結されている。なお、吸引キャップ２８２ａは、図示しないキャップ進退動機構（昇降動機構）によって、記録ヘッドのノズル面（不図示）に対して相対的に進退動（ここでは、昇降動）を行う。また、図示しないが、支持ロッド３０５と吸引キャップ２８２ａとの間は密閉状態で支持ロッド３０５が移動できるようにする。
【００３５】
このように構成したので、上記ヘッド液抜き吸引動作を行うときは、図６（ｂ）に示すように、吸引キャップ２８２ａを上昇させてノズル面（不図示）に押し当ててキャッピングする。吸引ポンプ１０５を駆動させて記録ヘッド（不図示）のインクを引き抜いて吸引キャップ２８２ａ内に溜める。次に、上記キャップ開放液排出動作を行うときには、図６（ｃ）に示すように、吸引キャップ２８２ａをさらに上昇させて回転軸３０６ａが図６中の矢印Ａの方向に軸回転することで、鍵部材３０６を図６中の矢印Ｂの方向に回転させる。図７（ｂ）に示すように、鍵部材３０６が支持ロッド３０５に係止された状態で下降することにより、吸引キャップ２８２ａを下降させる。このとき、吸収部材２９０は相対的に上昇する。これにより、吸収部材２９０を吸引孔１０３の近く、あるいは吸引孔１０３を覆うように変位させる。吸引ポンプ１０５を駆動させて液面から吸引孔１０３までのインク及び吸収部材２９０の吸収しているインクを排出する。その後、図７（ｃ）に示すように、鍵部材３０６が支持ロッド３０５に係止された状態で更に下降する。これにより、吸引キャップ２８２ａに溜まっているインク（不図示）に接触するまで吸収部材２９０を下降させ、そのインクを吸収部材２９０に吸収させることができる。
【００３６】
（実施例４）
次に、上記実施形態の画像形成装置に搭載された維持回復装置における吸引キャップの更に別の実施例（以下、本実施例を「実施例４」という。）について説明する。
【００３７】
実施例４について図８、図９及び図１０を参照して説明する。図８、図９及び図１０は実施例４の吸引キャップの構成を説明する図である。図８（ａ）は平面図、図８（ｂ）及び図９（ａ）、（ｂ）、（ｃ）並びに図１０（ａ）、（ｂ）、（ｃ）は正面図である。実施例４において、図８に示すように、吸収部材２９０では、吸収部材２９０の移動方向と直交する方向であって、長手方向の一辺が、支持部材である支持ロッド３０５に連結されている。支持ロッド３０５は、吸引キャップ２８２ａの長手方向側面から外部に突出している。更に、吸引キャップ２８２ａの側部外側には、支持ロッド３０５を係り止める鍵部材３０６が、回転軸３０６ａに回転可能に連結されている。この鍵部材３０６は、支持ロッド３０５の下方に位置し、ばね（不図示）等により図中の反時計回りに回転可能に弱い力が加わっている。鍵部材３０６の一部には、ばね３０４を取り付けるばね取付部材３０６ｂが設けられている。なお、吸引キャップ２８２ａは、図示しないキャップ進退動機構（昇降動機構）によって、記録ヘッドのノズル面（不図示）に対して相対的に進退動（ここでは、昇降動）を行う。また、図示しないが、支持ロッド３０５と吸引キャップ２８２ａとの間は密閉状態で支持ロッド３０５が移動できるようにする。
【００３８】
このように構成したので、上記ヘッド液抜き吸引動作を行うときは、図９（ａ）に示すように、吸引キャップ２８２ａを上昇させてノズル面（不図示）に押し当ててキャッピングする。吸引ポンプ１０５を駆動させて記録ヘッド（不図示）のインクを引き抜いて吸引キャップ２８２ａ内に溜める。次に、上記キャップ開放液排出動作を行うときには、図９（ｂ）に示すように、吸引キャップ２８２ａを下降させることで、支持ロッド３０５を鍵部材３０６の頂部における上斜面の当接面に押し当てる。鍵部材３０６は図中時計回りに回転する。図９（ｃ）に示すように、吸引キャップ２８２ａを更に下降させることで、鍵部材３０６が支持ロッド３０５に係止された状態になる。図１０（ａ）に示すように、この状態で吸引キャップ２８２ａを下降させ、吸収部材２９０を吸引孔１０３の近く、あるいは吸引孔１０３を覆うように変位させる。吸引ポンプ１０５を駆動させて液面から吸引孔１０３までのインク及び吸収部材２９０の吸収しているインクを排出する。その後、図１０（ｂ）に示すように、吸引キャップ２８２ａを上昇させることで、支持ロッド３０５が鍵部材３０６の頂部における下斜面の当接面に沿って移動し、鍵部材３０６は支持ロッド３０５から外れそうになる。この状態のとき、吸引キャップ２８２ａに溜まっているインク（不図示）に接触しており、そのインクを吸収部材２９０に吸収させることができる。そして、吸引キャップ２８２ａを更に上昇させ、鍵部材３０６は支持ロッド３０５から外れ、吸引キャップ内は高湿度に保たれ、ノズルからのインク乾燥を効果的に抑制することができる。
【００３９】
（実施例５）
次に、上記実施形態の画像形成装置に搭載された維持回復装置における吸引キャップの更に別の実施例（以下、本実施例を「実施例５」という。）について説明する。
【００４０】
実施例５について図１１及び図１２を参照して説明する。図１１及び図１２は実施例５の吸引キャップの構成を説明する図である。図１１（ａ）は平面図、図１１（ｂ）及び図１２（ａ）は正面図、図１１（ｃ）及び図１２（ｂ）は側面図である。実施例５において、吸収部材２９０と吸引キャップ２８２ａの内底部との間には弾性部材としてのばね３０４が設けられ、吸収部材２９０は吸引キャップ２８２ａの開口側に向けて付勢されている。そして、吸収部材２９０の外部に露出している面（ノズル面２３４ｃに対向する側の面）には、キャッピング時にノズル面２３４ｃのノズルと干渉しない位置に、ノズル面２３４ｃに突き当て可能な突起部材３０７が設けられている。ここでは、図１１（ａ）に示すように、突起部材３０７は、吸収部材２９０の長手方向両端部であって、短手方向両端部にそれぞれ合計４個設けられている。
【００４１】
このように構成したので、上記ヘッド液抜き吸引動作を行うときには、図１２（ａ）及び図１２（ｂ）に示すように、吸引キャップ２８２ａ内の吸収部材２９０は、突起部材３０７が記録ヘッド２３４のノズル面２３４ｃに当たり、吸引キャップ２８２ａの底部側へ押し下げられる。吸引キャップ２８２ａで記録ヘッド２３４のノズル面２３４ｃをキャッピングして、吸引手段としての吸引ポンプ１０５を駆動して吸引を行う。これにより、インク２００が吸引キャップ２８２ａの底部に溜まる。
【００４２】
吸引動作を一時停止した後、上記キャップ開放液排出動作を行うときには、図１１（ａ）及び図１１（ｂ）に示すように、吸引キャップ２８２ａをノズル面２３４ｃから離間させ、吸引キャップ２８２ａ内を大気開放する。吸引ポンプ１０５を駆動して吸引を行い、吸引キャップ２８２ａ内の液面から吸引孔１０３までのインク２００及び吸引孔１０３を覆う位置の吸収部材２９０に保持されているインク２００を吸引して廃液タンク（不図示）に排出される。図１２（ａ）及び図１２（ｂ）に示すように、吸引キャップ２８２ａで記録ヘッド２３４のノズル面２３４ｃを再びキャッピングして、突起部材１０２が記録ヘッド２３４のノズル面２３４ｃに当たり、吸引キャップ２８２ａの底部側へ押し下げられる。この結果、吸収部材２９０が吸引キャップ２８２ａの底部に溜まっているインク２００に接触し、インク２００を吸収する。これにより、これにより、上記吸引動作を行って吸引キャップ２８２ａの底部に溜めたインク（不図示）に吸収部材２９０を接触させ、そのインクを吸収部材２９０に吸収させることできる。
【００４３】
（実施例６）
次に、上記実施形態の画像形成装置に搭載された維持回復装置における吸引キャップの更に別の実施例（以下、本実施例を「実施例６」という。）について説明する。
【００４４】
実施例６について図１３及び図１４を参照して説明する。図１３及び図１４は実施例６の吸引キャップの構成を説明する図である。図１３（ａ）は平面図、図１３（ｂ）及び図１４（ａ）は正面図、図１３（ｃ）及び図１４（ｂ）は側面図である。実施例６において、図１３（ａ）に示すように、実施例５の突起部材３０７を、吸収部材２９０の短手方向の一端部側に設けている。吸収部材２９０の短手方向の他端部は吸引キャップ２８２ａに保持されている。吸収部材２９０の短手方向の他端部が所定の位置より下降しないようにするための止め部材３０８が、吸引キャップ２８２ａの内壁の一部に設けられている。
【００４５】
このように構成したので、上記ヘッド液抜き吸引動作を行うときには、図１４（ａ）及び図１４（ｂ）に示すように、吸引キャップ２８２ａ内の吸収部材２９０は、突起部材１０２が記録ヘッド２３４のノズル面２３４ｃに当たる。このため、吸収部材２９０の一端部側が吸引キャップ２８２ａの底部側へ押し下げられて短手方向で傾いて吸収部材２９０とノズル面２３４ｃとの間に空間を形成する。吸引キャップ２８２ａで記録ヘッド２３４のノズル面２３４ｃをキャッピングして、吸引手段としての吸引ポンプ１０５を駆動して吸引を行う。これにより、インク２００が吸引キャップ２８２ａの底部に溜まる。
【００４６】
吸引動作を一時停止した後、上記キャップ開放液排出動作を行うときには、図１３（ｂ）及び図１３（ｃ）に示すように、吸引キャップ２８２ａをノズル面２３４ｃから離間させ、吸引キャップ２８２ａ内を大気開放する。吸引ポンプ１０５を駆動して吸引を行い、吸引キャップ２８２ａ内の液面から吸引孔１０３までのインク２００及び吸引孔１０３を覆う位置の吸収部材２９０に保持されているインク２００を吸引して廃液タンク（不図示）に排出される。図１４（ａ）及び図１４（ｂ）に示すように、吸引キャップ２８２ａで記録ヘッド２３４のノズル面２３４ｃを再びキャッピングして、突起部材１０２が記録ヘッド２３４のノズル面２３４ｃに当たる。このため、吸収部材２９０の一端部側が吸引キャップ２８２ａの底部側へ押し下げられる。この結果、吸収部材２９０の一端部が吸引キャップ２８２ａの底部に溜まっているインク２００に接触し、インク２００を吸収する。これにより、上記吸引動作を行って吸引キャップ２８２ａの底部に溜めたインク（不図示）に吸収部材２９０を接触させ、そのインクを吸収部材２９０に吸収させることできる。
【００４７】
（変形例）
次に、上記実施形態に係る画像形成装置の一変形例（以下、本変形例を「変形例」という。）について説明する。
【００４８】
変形例について図１５を参照して説明する。図１５は吐出検知装置の構成の概略を示す構成図である。
図１５に示す吐出検知装置は、電圧印加回路４０１と電圧検出回路４０２とで構成されている。電圧印加回路４０１は、インクジェットプリンタの内部で引き回される数ボルトの電気配線の電圧を図示しない昇圧回路を介して数十〜数百ボルトに昇圧する。電圧印加回路４０１は、この昇圧後の直流電圧ＶｅをスイッチＳＷを介して印刷ヘッド４０３のノズルプレート４０４に印加する回路である。電圧検出回路４０２は、ノズルプレート４０４の電圧変化を検出するように接続され、ノズルプレート４０４の電圧信号を積分し反転増幅した信号をＡ／Ｄ変換してコントローラ４０５へ出力するように構成されている。なお、電圧検出回路４０２や図示しない昇圧回路はヘッド駆動用基板に搭載されている。
【００４９】
コントローラ４０５は、図１５に示すように、メカフレームの裏面に取り付けられたメイン基板上に設けられ、ＣＰＵ４０５ａを中心とするマイクロプロセッサとして構成されている。また、各種処理プログラムを記憶したＲＯＭ４０５ｂと、一時的にデータを記憶したりデータを保存したりするＲＡＭ４０５ｃと、データを書き込み消去可能なフラッシュメモリ４０５ｄと、外部機器との情報のやり取りを行うインタフェース（Ｉ／Ｆ）（不図示）と、入出力ポート（不図示）とを備えている。なお、ＲＯＭ４０５ｂには、後述するメインルーチンやノズル検査ルーチンなどの各処理プログラムが記憶されている。また、ＲＡＭ４０５ｃには、印刷バッファ領域が設けられており、この印刷バッファ領域にユーザＰＣからＩ／Ｆを介して送られてきた印刷データが記憶される。このコントローラ４０５には、吐出検知装置における電圧検出回路４０２から出力された電圧信号や、フォトディテクタ（不図示）からのキャリッジのポジション信号などが図示しない入力ポートを介して入力されるほか、ユーザＰＣから出力された印刷ジョブなどがＩ／Ｆを介して入力される。また、コントローラ４０５からは、印刷ヘッド４０３（マスク回路（不図示）や圧電素子（不図示）を含む）への制御信号やスイッチＳＷへの切替信号、ヘッド駆動波形生成回路４０６への制御信号、駆動モータ（不図示）への制御信号、キャリッジモータ（不図示）への駆動信号などが図示しない出力ポートを介して出力されるほか、ユーザＰＣへの印刷ステータス情報などがＩ／Ｆを介して出力される。
【００５０】
そして、図１６に示したように、吐出検知部４０７では、吸引キャップ２８２ａ内の吸収部材２９０に接触して、ワイヤ４０７ａが格子状に張り巡らせるように設置されている。このため、ノズル（不図示）から吐出されたインク滴は、ワイヤ４０７ａ上に接触するものもあれば、直接、ワイヤ４０７ａに接触しないものもある。インク滴の着弾を電気信号で検出するためには、ワイヤ間を繋ぐ吸収部材２９０がある程度の導電性を有していることが必要となる。このため、例えば、電極の上下に吸収部材を配し、上側の吸収部材は着弾したインク滴が速やかに下方に移動可能な透過性の高いものが好ましい。例えばエステル系ウレタンスポンジが用いられ、下側の吸収部材には、上側の吸収部材に比べてインクの保持力が高いものであり、フェルトなどの不織布によって作製されている。このように２層の吸収部材を用いることでコストアップするのみならず、インク保持力が高い吸収部材は吸引時の流体抵抗が大きく、例えばクリーニング時の吸引量の安定化を妨げることになる。また、導電性を有さないスポンジで作製したものをインク吐出検知前に、水又はインクで濡らして導電性を有するようにしてもよい。吐出検査前に毎回インクで濡らすには、その分インクが無駄に消費されることは回避できない。
【００５１】
なお、本願において、「用紙」とは材質を紙に限定するものではなく、ＯＨＰ、布、ガラス、基板などを含み、インク滴、その他の液体などが付着可能なものの意味である。被記録媒体、記録媒体、記録紙、記録用紙などと称されるものを含む。また、画像形成、記録、印字、印写、印刷はいずれも同義語とする。
【００５２】
また、「画像形成装置」は、紙、糸、繊維、布帛、皮革、金属、プラスチック、ガラス、木材、セラミックス等の媒体に液体を吐出して画像形成を行う装置を意味する。また、「画像形成」とは、文字や図形等の意味を持つ画像を媒体に対して付与することだけでなく、パターン等の意味を持たない画像を媒体に付与すること（単に液滴を媒体に着弾させること）をも意味する。また、「インク」とは、特に限定しない限り、インクと称されるものに限らず、記録液、定着処理液、液体などと称されるものなど、画像形成を行うことができるすべての液体の総称として用いる。例えば、ＤＮＡ試料、レジスト、パターン材料、樹脂なども含まれる。また、「画像」とは平面的なものに限らず、立体的に形成されたものに付与された画像、また立体自体を三次元的に造形して形成された像も含まれる。また、画像形成装置には、特に限定しない限り、シリアル型画像形成装置及びライン型画像形成装置のいずれも含まれる。
【００５３】
以上に説明したものは一例であり、本発明は、次の態様毎に特有の効果を奏する。
（態様１）
液滴をノズルから略鉛直下向きに吐出する液滴吐出ヘッドとしての記録ヘッド２３４と、ノズルが形成されているノズル形成面としてのノズル面２３４ｃを下方から覆って密閉する吸引キャップ２８２ａと、吸引キャップ２８２ａ内に配置され液体のインク２００を吸収する吸収体としての吸収部材２９０と、吸引キャップ２８２ａに設けられている吸引孔１０３から吸引キャップ２８２ａ内のインク２００を吸引する吸引手段としての吸引ポンプ１０５とを備えた画像形成装置において、吸引孔１０３は、吸引キャップ２８２ａの底部より上方に設け、吸引キャップ２８２ａは、吸引ポンプ１０５による吸引でインク２００の一部を吸引孔１０３から排出するとともに残りのインク２００を溜める構成を備え、吸収部材２９０は、吸引キャップ２８２ａに対し相対的に、少なくとも２つの位置に移動可能に設置され、第１の位置は第２の位置より吸引孔１０３に近い位置であり、第２の位置は吸引キャップ２８２ａ内に溜まっている残りのインク２００に接触する位置又は残りのインク２００に第１の位置からの移動中に接触するような位置である。
これによれば、上記実施形態について説明したように、上記ヘッド液抜き吸引動作において、ノズル面２３４ｃを吸引キャップ２８２ａで下方から覆ってノズル面２３４ｃを密閉する。吸引孔１０３は、吸引キャップ２８２ａの底部より上方に設けている。吸引キャップ２８２ａの吸引孔１０３に連通している吸引ポンプ１０５による吸引を行い、吸引キャップ内に形成された閉空間内を負圧状態にする。この負圧で、記録ヘッド２３４のノズル内の液体を引き出して吸引キャップ内に液体を溜める。その後、上記キャップ開放液排出動作において、吸引ポンプ１０５による吸引を一時停止し、吸引キャップ２８２ａをノズル面２３４ｃから離間させて大気開放する。吸収部材２９０を第１の位置である吸引孔１０３の近傍に配置させて、吸引ポンプ１０５による吸引を再開する。第１の位置は第２の位置より吸引孔１０３に近いので、吸収部材２９０に吸収されているインク２００は第２の位置より強い吸引力を受けて優先的に排出され易い。吸引孔１０３から吸引キャップ２８２ａ内に溜まっているインク２００の一部が吸引孔１０３から吸引されて排出される。吸引ポンプ１０５による吸引を止めた後、第２の位置である、吸引キャップ２８２ａ内に溜まっている残りのインク２００に接触する位置又は残りのインク２００に第１の位置からの移動中に接触するような位置に吸収部材２９０を配置させ、残りのインク２００を吸収させる。以上により、吸収部材２９０には水分含有量の低下していたインクは排出され、高い水分含有量のインクが吸収される。このため、従来の上記キャップ開放液排出動作直後の吸収部材より、本実施形態の吸収部材では高い水分含有量のインクを多く保持できる。これにより、吸収部材の液体吸収性能の劣化を抑制することができる。吸引キャップでノズル面を覆い密閉する保湿動作において、記録ヘッド内のインクの粘度が高くなることを抑制できる。よって、安定した液滴吐出による画像形成を行うことができる。
（態様２）
（態様１）において、吸引キャップ２８２ａを昇降させる昇降手段を備え、吸収部材２９０を固定し、昇降手段によって吸引キャップ２８２ａを昇降し吸引キャップ２８２ａと吸収部材２９０の相対位置を変える。これによれば、上記実施形態の実施例１、２について説明したように、昇降手段によって吸引キャップ２８２ａを昇降させることで吸収部材２９０をノズル面２３４ｃに対する距離を容易に可変できる。
（態様３）
（態様１）において、吸収部材２９０は、記録ヘッド２３４と対向する側に付勢する弾性部材としてのばね１０１と、記録ヘッド２３４と対向する側に突起する突起部材１０２とを有し、吸引キャップ２８２ａをノズル面２３４ｃに押圧して突起部材１０２がノズル面ノズル面２３４ｃの一部を押圧し、吸収部材２９０が吸引キャップ２８２ａの底部側へ押し下げられる。これによれば、上記実施形態の実施例３、４について説明したように、相対的に吸収部材２９０をノズル面２３４ｃに対する距離を容易に可変できる。
（態様４）
（態様１）〜（態様３）のいずれかにおいて、吸引キャップ２８２ａ内のインク２００の電荷を検知する電荷検知手段としての電圧検出回路４０２と、電位の異なるインクの吐出を行って電荷を検知することで吐出の有無を判定する吐出判定手段とを備え、検知用の吐出を行う前に、吸引キャップ２８２ａの底部に残留するインクを電圧検知回路と接触している吸収部材２９０に含侵させた後、吐出検知を実施する。これによれば、上記実施形態の変形例について説明したように、吸収部材２９０のインクの含有量が増加することにより導電性を増し、液滴吐出の検知感度を増幅でき精度良く液滴吐出の検知が可能になる。
【符号の説明】
【００５４】
１０１  ばね
１０２  突起部材
１０３  吸引孔
１０４  吸引チューブ
１０５  吸引ポンプ
２００  インク
２０２  給紙トレイ
２０３  排紙トレイ
２０４  カートリッジ装填部
２１０  インクカートリッジ
２３３  キャリッジ
２３４  記録ヘッド
２３４ａ  記録ヘッド
２３４ｂ  記録ヘッド
２３４ｃ  ノズル面
２３５  ヘッドタンク
２８１  維持回復機構
２８２ａ  吸引キャップ
２８２ｂ  保湿キャップ
２８２ｃ  ニップ部
２８３  ワイパ部材
２９０  吸収部材
２９０ａ  回動部材
３０１  接続柱部材
３０２  固定板
３０３  蛇腹部材
３０４  ばね
３０５  支持ロッド
３０６  鍵部材
３０６ａ  回転軸
３０６ｂ  ばね取付部材
３０７  突起部材
３０８  止め部材
４０１  電圧印加回路
４０２  電圧検出回路
４０３  印刷ヘッド
４０４  ノズルプレート
４０５  コントローラ
４０５ａ  ＣＰＵ
４０５ｂ  ＲＯＭ
４０５ｃ  ＲＡＭ
４０５ｄ  フラッシュメモリ
４０６  ヘッド駆動波形生成回路
４０７  吐出検知部
４０７ａ  ワイヤ
【先行技術文献】
【特許文献】
【００５５】
【特許文献１】特開２０１２−１６９１９号公報
【図１】
2015098134.tif 000003
【図２】
2015098134.tif 000004
【図３】
2015098134.tif 000005
【図４】
2015098134.tif 000006
【図５】
2015098134.tif 000007
【図６】
2015098134.tif 000008
【図７】
2015098134.tif 000009
【図８】
2015098134.tif 000010
【図９】
2015098134.tif 000011
【図１０】
2015098134.tif 000012
【図１１】
2015098134.tif 000013
【図１２】
2015098134.tif 000014
【図１３】
2015098134.tif 000015
【図１４】
2015098134.tif 000016
【図１５】
2015098134.tif 000017
【図１６】
2015098134.tif 000018